(57)【要約】【課題】歯茎に設けた部分入れ歯の安定性を高めるための入れ歯用クラスプ構造を提供する。【解決手段】少なくとも残り歯が一本ありの歯茎に設ける脱着式部分入れ歯には、残り歯に近接する止め金が設けられており、前記止め金は、残り歯の歯冠と歯根間の外側表面に掛け、たわみがあるカーブ状クラスプ部が設けられ、そして、止め金に部分入れ歯を埋める尾部があり部分入れ歯と残り歯が相互にクラスプされる。【選択図】図１
0003134751.tif 000002
【実用新案登録請求の範囲】
【請求項１】
少なくとも残り歯が一本ありの歯茎に設ける脱着式部分入れ歯には、残り歯に近接する止め金が設けられる入れ歯用クラスプ構造であるが、前記止め金は、残り歯の歯冠と歯根間の外側表面に掛け、たわみがあるカーブ状クラスプ部が設けられ、そして、止め金に部分入れ歯を埋める尾部があることを特徴とする入れ歯用クラスプ構造。
【請求項２】
止め金は、ナイロン材料からできたものであることを特徴とする請求項１に記載の入れ歯用クラスプ構造。
【請求項３】
尾部の上には、嵌めるときの安定性を向上させる傾斜部があることを特徴とする請求項１に記載の入れ歯用クラスプ構造。
【請求項４】
尾部の上には少なくとも、嵌めるときの安定性を向上させるための貫通孔が一つあることを特徴とする請求項１に記載の入れ歯用クラスプ構造。
【請求項５】
クラスプ部と尾部との間に、くびれ部が形成されることを特徴とする請求項１に記載の入れ歯用クラスプ構造。
【考案の詳細な説明】
【技術分野】
【０００１】
本考案は、脱着式部分入れ歯にかかわり、特に歯茎に設けた部分入れ歯の安定性を高めるためのクラスプ構造である。
【背景技術】
【０００２】
一般的に、人の口腔に設ける入れ歯は固定式と脱着式があるが、固定式入れ歯は、自ら取り外せない入れ歯であり、脱着式入れ歯は、自ら取り外したり、装着したりすることができる入れ歯であり、患者の口腔内に歯が一本しかない場合、その歯がない箇所に固定式入れ歯を設けるが、多くの歯がない場合、例えば、奥歯が全部なかったり、歯茎が萎んだり、又は、歯周病の原因で、歯が少ししか残されなかったり、歯が全部なくなったりしたときは、固定式入れ歯でそれを補修することができず、脱着式入れ歯を設けなければならない。
【０００３】
上述した脱着式入れ歯には、総入れ歯と部分入れ歯があるが、総入れ歯は、完全に残り歯（残された歯）がない場合に使われるもので、歯茎、歯槽骨、口腔粘膜及び唾液などで支えられており、部分入れ歯は、一般的に欠けた歯が多いが、残り歯だけでも支えられた場合に使われるものであり、部分入れ歯の脱落を防ぐために、従来の部分入れ歯の上には普通、金属フレームと残り歯をホックするための金属クラスプがあるが、そして、部分入れ歯の部分及び歯茎に乗せる床には、主に補修や接合が行われやすい樹脂材料が使われる。
【０００４】
部分入れ歯の金属フレームの一部は、残り歯の咬合面を覆うところまで伸ばされ、金属クラスプも残り歯の外側表面又は近くにある舌の内側表面を覆うところまで伸ばされる。金属フレームで咬合面が覆われて、上、下残り歯の咬合面の高さが変えられることを防ぐため、従来は、残り歯の咬合面に適当な深さのある凹部を磨き出して、そこは金属フレームを置くように供されると同時に、残り歯の外側表面や内側表面の上にも金属クラスプを置くための適当な凹部が必要であり、残り歯の上に適当な凹部がない場合は、前記残り歯の外側表面又は内側表面に金属クラスプを置くための適当な凹部を磨き出して作らなければならない。しかし、そのことで、残り歯に更に傷をつけて、残り歯を更にもろいものにして、残り歯の安定性が低減される。
【０００５】
上述の問題を解決するために、部分入れ歯の床を歯茎に設けるようにする技術が掲示されているが、それは、ナイロン材料で作られた部分入れ歯の床であり、歯茎に嵌めるための入れ歯の床の槽部はたわみ性があり、歯茎に嵌めて、入れ歯が固定されるようになる。しかし、樹脂材料の入れ歯及びナイロン材料の床を一体化するのに、容易に作ることができず、コストも高いという欠点がある。そのほか、口腔の歯茎は、長時間に入れ歯の床からの圧力で、次第に萎れていき、入れ歯の床が安定しながら、歯茎に嵌めることができなくなるという問題があり、また、ナイロン材料による入れ歯の床が毀損されてから、補修されることができないため、それらを改善しなければならない。
【考案の開示】
【考案が解決しようとする課題】
【０００６】
本考案の目的は、入れ歯用クラスプ構造を提供し、特に補修可能な材料で作られた入れ歯の床が設けられおり、入れ歯の床には、残り歯に掛けられ、たわみ性があるクラスブ部品があり、それにより、磨かれない残り歯の状況のもとで、残り歯に掛けられるようにすることである。
【課題を解決するための手段】
【０００７】
上述の目的を達成させるために、本考案の入れ歯用クラスプ構造は、少なくとも残り歯が一本ありの歯茎に脱着式部分入れ歯が設けられ、そして、部分入れ歯の上には、残り歯に近接する止め金が設けられるようにするが、前記止め金は、残り歯の歯冠と歯根間の外側表面に掛け、たわみ性があるカーブ状クラスプ部が設けられ、そして、止め金に部分入れ歯に埋められる尾部があることを特徴とする入れ歯用クラスプ構造である。
【０００８】
上述のことにより、部分入れ歯と残り歯が相互にクラスプされ、歯茎に設けた部分入れ歯の安定性を高めることができる。
【０００９】
上述のほかに、本考案では、前記止め金はナイロン材料からできたものであり、前記尾部の上に、嵌めるときの安定性を向上させる傾斜部がある。前記尾部に少なくとも、嵌めるときの安定性を向上させるための貫通孔が一つある。クラスプ部と尾部との間に、くびれ部が形成されるのである。
【考案を実施するための最良の形態】
【００１０】
本考案を詳しく説明するため、以下のように、好適な実施図例を挙げながら、実施の形態について詳しく述べる。
【００１１】
まず、図１は、本考案である入れ歯用クラスプ構造の立体図であり、図２〜図７を参照しながら、説明していくが、本考案では、少なくとも残り歯２が一本ありの歯茎１に脱着式部分入れ歯３、樹脂材料で作られた入れ歯の床３１及び複数の入れ歯の歯３２が設けられており、部分入れ歯３の上には、少なくとも残り歯２に近接する止め金４がある。本実施例において、奥歯がすべてなくなり、若干の前歯や犬歯が残される歯茎１を例にするが、前記部分入れ歯３に近接する前歯の両側の残り歯２にそれぞれ止め金４が設けられる。
【００１２】
上述の実施状況のもとで、本考案では、止め金４の片側に残り歯２の歯冠２１と歯根２２間の外側面に掛け、たわみ性があるカーブ状クラスプ部４１（図８〜図１０の通り）が設けられ、そして、止め金４の他方側に部分入れ歯３内に埋められる尾部４２がある。
【００１３】
具体的な実施の形態では、本考案において、前記止め金４は、ナイロン（ＮＹＬＯＮ）材料で作られるものであり、それにより、止め金４のクラスプ部４１に弾力性や耐久性、耐磨耗性を持つようになり、そして、補修や磨きなどの加工に便利であると同時に、職人によるやや加熱のもとで、クラスプ部４１の可塑性がよくて、クラスプ部４１の外観や勾配を調節するのが便利となる。
【００１４】
前記尾部４２の上に、嵌めるときの安定性を向上させる傾斜部４３（図１、図３と図４の通り）が設けられ、そして、尾部４２の上に嵌めるときの安定性を向上させるための貫通孔４４（図２と図６参照）があるので、尾部４２は、部分入れ歯３を形成する樹脂材料が凝固されたとき、傾斜部４３と貫通孔４４により、入れ歯の床３１又は入れ歯の歯３２内に埋められるようになる。
【００１５】
上述の部品の組み合わせにより、本考案の実施例として使われるが、特に歯が抜けた患者は、歯茎１に部分入れ歯３を設ける場合、まず、部分入れ歯３の入れ歯の床３１を歯茎１の上（図７）に掛けるようにして、二クラスプ部４１がそれぞれ前歯の両側の残り歯２に対応し、部分入れ歯３を歯茎１の上に軽く押して、二クラスプ部４１をそれぞれ残り歯２の歯冠２１と歯根２２間の外側表面（図８〜図１０）にクラスプさせるようにする。それにより、樹脂材料で作られた入れ歯の床３１の補修を行うことができ、入れ歯の床３１の使用寿命が延びるし、そして、たわみ性のあるナイロン材料で作られたクラスプ部４１を使って、残り歯２が磨かれない状況のもとで、それを残り歯２に掛けて、部分入れ歯３と残り歯２を相互にクラスプさせるようにし、歯茎１上に設けられた部分入れ歯３の安定性が高められると同時に、患者が自ら部分入れ歯３を取り外したり装着したりすることができる。
【００１６】
その他、前記止め金４ａのクラスプ部４１ａと尾部４２ａ間にくびれ部４５ａ（図１１）が形成されて、クラスプ部４１ａの弾力性が更に向上し、そして、くびれ部４５ａは職人によるやや加熱のもとで、可塑性がよくて、クラスプ部４１ａの外観や勾配を調節するのが便利となる。
【００１７】
また、上述の止め金４の色は、残り歯２と同じ、又は類似したナイロン材料で作られるものであり、部分入れ歯３外に露出したクラスプ部４１でも、色が残り歯２と同じ又は類似し、患者が部分入れ歯３を設けたときの美しさを配慮することができる。
【００１８】
更に、前記止め金４と部分入れ歯３と結合方法は、部分入れ歯３の樹脂材料が凝固される前に、止め金４の尾部４２を埋めるようになっており、樹脂材料が凝固すると完成することで、作業が比較的に便利。
【００１９】
上述は、本考案の好適な実施例を説明するための内容であり、本考案の登録請求範囲を制限するものではなく、本考案に掲示されるコンセプトや考えで、改造や変更を行って作られたものは、すべて本考案に含まれるものとする。
【図面の簡単な説明】
【００２０】
【図１】本考案の立体図である。
【図２】本考案の鳥瞰図である。
【図３】本考案の側面図である。
【図４】本考案のもう一つの側面図である。
【図５】本考案のもう一つの鳥瞰図である。
【図６】図５の部分拡大図である。
【図７】本考案の実施状況図である。
【図８】本考案のもう一つの実施状況図である。
【図９】図８の部分拡大図である。
【図１０】本考案のほかの実施状況図である。
【図１１】本考案のほかの実施状況図である。
【符号の説明】
【００２１】
１      歯茎
２      残り歯
２１    歯冠
２２    歯根
３      部分入れ歯
３１    入れ歯の床
３２    入れ歯の歯
４      止め金
４ａ    止め金
４１    クラスプ部
４１ａ  クラスプ部
４２    尾部
４２ａ  尾部
４３    傾斜部
４４    貫通孔
４５ａ  くびれ部
【図１】
0003134751.tif 000003
【図２】
0003134751.tif 000004
【図３】
0003134751.tif 000005
【図４】
0003134751.tif 000006
【図５】
0003134751.tif 000007
【図６】
0003134751.tif 000008
【図７】
0003134751.tif 000009
【図８】
0003134751.tif 000010
【図９】
0003134751.tif 000011
【図１０】
0003134751.tif 000012
【図１１】
0003134751.tif 000013